(57)【特許請求の範囲】
【請求項１】
室出入口において、入退室者群のうちのいずれかの入退室者の登録されたＩＤ番号をカードリーダに読み取らせて入退室を管理し、ビデオカメラにより入退室者群の映像を撮影して保管する入退室管理システムにおいて、
ビデオカメラにより撮影された、いずれかの入退室者のＩＤ番号をカードリーダに読み取らせて入退室する入退室者群の映像を記録する入退室者映像記録部と、
登録されたＩＤ番号とそのＩＤ番号の登録者の顔画像とを対応付けて記憶する登録者顔画像記憶部と、
入退室者映像記録部に記録された映像から入退室者群に含まれる全ての入退室者の顔画像をそれぞれ抽出する入退室者顔画像抽出部と、
カードリーダで読み取られたＩＤ番号から、登録者顔画像記憶部に記憶されたそのＩＤ番号の登録者の顔画像を検索し、入退室者顔画像抽出部が抽出した全ての入退室者のそれぞれの顔画像と比較し、入退室者群のなかに同一人物が含まれるか否かを判断する入退室者顔画像比較部と、
入退室者顔画像比較部が入退室者群のなかにＩＤ番号の登録者と同一人物が含まれていると判断した場合には、入退室者群を共連れ入退室であると判定して管理する入退室管理部と、
を備え、
入退室管理部は、入退室群が共連れ入退室であると判定した場合には、入退室者顔画像比較部に対し、ＩＤ番号の登録者以外の各入退室者について登録者顔画像記憶部に記憶された登録者の顔画像から同一人物を検索させることを特徴とする入退室管理システム。
【請求項２】
請求項１に記載の入退室管理システムであって、入退室管理部は、入退室者顔画像抽出部に対し、入退室者映像記録部に記録された映像から、入退室者群に含まれる各入退室者の顔が識別可能な複数の顔画像をそれぞれ選択させ、それらの顔画像のうち各入退室者が特定可能な顔画像をそれぞれ抽出させることを特徴とする入退室管理システム。
【請求項３】
請求項２に記載の入退室管理システムであって、入退室管理部は、入退室者映像記録部に対し、入退室者顔画像抽出部が各入退室者に対してそれぞれ選択した複数の顔画像と、入退室者顔画像比較部のそれぞれの比較結果と、共連れ入退室に関する情報とを、その入退室者群の入退室日時とともに記録させることを特徴とする入退室管理システム。
【請求項４】
請求項２に記載の入退室管理システムであって、入退室管理部は、入退室者映像記録部に対し、入退室者顔画像抽出部が各入退室者に対してそれぞれ抽出した顔画像と、入退室者顔画像比較部のそれぞれの比較結果と、共連れ入退室に関する情報とを、その入退室者群の入退室日時とともに記録させることを特徴とする入退室管理システム。
【請求項５】
請求項１乃至４のいずれか１に記載の入退室管理システムであって、入退室管理部は、入退室者顔画像比較部がＩＤ番号の登録者以外の入退室者について登録者顔画像記憶部に記憶された登録者の顔画像から同一人物を検索した場合には、入退室者映像記録部に対し、その入退室者の記録のうち共連れ入退室に関する情報に登録者の共連れ入退室であることを記録させることを特徴とする入退室管理システム。
【請求項６】
請求項１乃至４のいずれか１に記載の入退室管理システムであって、入退室管理部は、入退室者顔画像比較部がＩＤ番号の登録者以外の入退室者について登録者顔画像記憶部に記憶された登録者の顔画像から同一人物を検索しない場合には、入退室者映像記録部に対し、その入退室者の記録のうち共連れ入退室に関する情報に非登録者の共連れ入退室であることを記録させることを特徴とする入退室管理システム。
【請求項７】
請求項１乃至６のいずれか１に記載の入退室管理システムであって、入退室管理部は、ＩＤ番号の登録者の顔画像と同一人物である入退室者について、入退室者顔画像抽出部が抽出した顔画像を、その登録者の顔画像として更新させて登録者顔画像記憶部に記憶させることを特徴とする入退室管理システム。
【請求項８】
請求項１乃至７のいずれか１に記載の入退室管理システムであって、入退室管理部は、共連れにより入退室した登録者について、入退室者顔画像抽出部が抽出した顔画像を、その登録者の顔画像として更新させて登録者顔画像記憶部に記憶させることを特徴とする入退室管理システム。
【請求項９】
請求項１乃至８のいずれか１に記載の入退室管理システムであって、共連れによる入退室に対して情報を発信する共連れ情報発信部を備え、入退室管理部は、入退室者群を共連れ入退室であると判定した場合には、共連れ情報発信部に共連れ情報を発信させることを特徴とする入退室管理システム。
【請求項１０】
請求項１乃至９のいずれか１に記載の入退室管理システムであって、非登録者の入退室に対して警報を発報する不審者警報発報部を備え、入退室管理部は、入退室者顔画像比較部が入退室者群のうちのいずれもがＩＤ番号の登録者の顔画像と同一人物ではないと判断した場合には、不審者警報発報部に警報を発報させることを特徴とする入退室管理システム。
【発明の詳細な説明】
【技術分野】
【０００１】
本発明は、入退室管理システムに係り、特に、室出入口において、入退室者群のうちのいずれかの入退室者の登録されたＩＤ番号をカードリーダに読み取らせて入退室を管理し、ビデオカメラにより入退室者群の映像を撮影して保管する入退室管理システムに関する。
【背景技術】
【０００２】
一般的な入退室管理システムでは、室出入口において、例えば、入退室者に登録されたＩＤ番号が書き込まれたＩＤカードを、室出入口の扉の前に設置されたカードリーダに読み取らせるなどの認証手段により入退室者を確認し、登録されたＩＤ番号が書き込まれたＩＤカードを所持しない不審者の侵入を管理している。この入退室管理システムの場合には、ＩＤカードをカードリーダに読み取らせるなどの認証手段を行った入退室者のみを管理する。
【０００３】
また、例えば、ＩＤカードをカードリーダに読み取らせるなどの認証手段を操作中の入退室者を正面からカメラにより撮影し、入退室者の顔画像を記録することも行われている。例えば、特許文献１には、通行者の顔画像を記録する入退室管理装置が開示され、認証情報を読み込む認証情報読込部と、認証情報読込部を操作している通行者を正面から撮影するカメラと、認証情報が正当であれば電気錠を開錠させる通行許可判定部と、カメラにより撮影された映像から通行者による操作履歴と通行者の顔画像とを関連づけて記録する操作履歴記録部とを有することが記載されている。この入退室管理システムの場合には、ＩＤカードをカードリーダに読み取らせるなどの認証手段を行った入退室者のみをカメラにより撮影して管理する。
【０００４】
さらに、入退室が行われる室の上部にビデオカメラが設置される場合がある。そして、例えば、ＩＤカードをカードリーダに読み取らせるなどの認証手段が行われる室全体について、入退室者の通行履歴の映像をこのビデオカメラにより撮影する。従って、上述した共連れ入退室者群に対し、撮影されたビデオカメラの映像を再生し、入退室者の通行履歴を視覚的に確認して判定する。
【０００５】
【特許文献１】特開２００６−２１４２３１号公報
【発明の開示】
【発明が解決しようとする課題】
【０００６】
登録者と共に紛れ込んで室に侵入する不審者を、カードリーダ等の個人認証手段、或いは認証手段を操作中の入退室者を正面からカメラにより撮影する手段では防止することができない。そして、不審者の室への侵入は、ビデオカメラなどの映像を再生して入退室者の通行履歴を視覚的に確認しなければ判定できないという問題があった。
【０００７】
不審者の侵入を防止するには、登録されたＩＤ番号を保有する登録者と、登録されたＩＤ番号を保有しない登録者とが混在して入退室する、いわゆる共連れ入退室者群を判定しなければならない。しかし、入退室が行われる室の上部にビデオカメラを設置しても、その映像からでは共連れ入退室者群であるか否かを的確に判定することは難しい。
【０００８】
本願の目的は、かかる課題を解決し、登録ＩＤ番号を保有する入退室者と保有しない入退室者とが共連れで入退室する入退室者群であることを的確に判定して入退室者を管理する入退室管理システムを提供することである。
【課題を解決するための手段】
【０００９】
上記目的を達成するため、本発明に係る入退室管理システムは、室出入口において、入退室者群のうちのいずれかの入退室者の登録されたＩＤ番号をカードリーダに読み取らせて入退室を管理し、ビデオカメラにより入退室者群の映像を撮影して保管する入退室管理システムにおいて、ビデオカメラにより撮影された、いずれかの入退室者のＩＤ番号をカードリーダに読み取らせて入退室する入退室者群の映像を記録する入退室者映像記録部と、登録されたＩＤ番号とそのＩＤ番号の登録者の顔画像とを対応付けて記憶する登録者顔画像記憶部と、入退室者映像記録部に記録された映像から入退室者群に含まれる全ての入退室者の顔画像をそれぞれ抽出する入退室者顔画像抽出部と、カードリーダで読み取られたＩＤ番号から、登録者顔画像記憶部に記憶されたそのＩＤ番号の登録者の顔画像を検索し、入退室者顔画像抽出部が抽出した全ての入退室者のそれぞれの顔画像と比較し、入退室者群のなかに同一人物が含まれるか否かを判断する入退室者顔画像比較部と、入退室者顔画像比較部が入退室者群のなかにＩＤ番号の登録者と同一人物が含まれていると判断した場合には、入退室者群を共連れ入退室であると判定して管理する入退室管理部と、を備え、入退室管理部は、入退室群が共連れ入退室であると判定した場合には、入退室者顔画像比較部に対し、ＩＤ番号の登録者以外の各入退室者について登録者顔画像記憶部に記憶された登録者の顔画像から同一人物を検索させる。
【００１０】
この構成により、いずれかの入退室者のＩＤ番号をカードリーダに読み取らせて入退室する入退室者群について、入退室者群に含まれる入退室者全員の顔画像と、検索されたＩＤ番号の登録者の顔画像を比較することで共連れ入退室であるか否かが的確に判定できる。そして、その判定に基づいて入退室者群に含まれる共連れ入退室者が個別に管理できる。また、登録者でありながら共連れ入退室を行なった者が把握できる。
【００１１】
また、入退室管理システムは、入退室管理部が、入退室者顔画像抽出部に対し、入退室者映像記録部に記録された映像から、入退室者群に含まれる各入退室者の顔が識別可能な複数の顔画像をそれぞれ選択させ、それらの顔画像のうち各入退室者が特定可能な顔画像をそれぞれ抽出させることが好ましい。これにより、各入退室者の顔画像について、識別可能な複数の顔画像がそれぞれ選択され、さらにその中から入退室者が特定可能な顔画像がそれぞれ抽出され、入退室管理の目的に合わせて共連れ入退室者全員が管理できる。
【００１２】
また、入退室管理システムは、入退室管理部が、入退室者映像記録部に対し、入退室者顔画像抽出部が各入退室者に対してそれぞれ選択した複数の顔画像と、入退室者顔画像比較部のそれぞれの比較結果と、共連れ入退室に関する情報とを、その入退室者群の入退室日時とともに記録させることが好ましい。これにより、入退室者映像記録部には共連れ入退室に関する情報が選択された複数の顔画像などとともに記録され、的確な共連れ入退室の管理ができる。
【００１３】
また、入退室管理システムは、入退室管理部が、入退室者映像記録部に対し、入退室者顔画像抽出部が各入退室者に対してそれぞれ抽出した顔画像と、入退室者顔画像比較部のそれぞれの比較結果と、共連れ入退室に関する情報とを、その入退室者群の入退室日時とともに記録させることが好ましい。これにより、入退室者映像記録部には共連れ入退室に関する情報が抽出された顔画像などとともに記録され、的確な共連れ入退室の管理ができる。
【００１５】
また、入退室管理システムは、入退室管理部が、入退室者顔画像比較部がＩＤ番号の登録者以外の入退室者について登録者顔画像記憶部に記憶された登録者の顔画像から同一人物を検索した場合には、入退室者映像記録部に対し、その入退室者の記録のうち共連れ入退室に関する情報に登録者の共連れ入退室であることを記録させることが好ましい。これにより、登録者でありながら共連れ入退室を行なった者を入退室者映像記録部に記録させて管理できる。
【００１６】
また、入退室管理システムは、入退室管理部が、入退室者顔画像比較部がＩＤ番号の登録者以外の入退室者について登録者顔画像記憶部に記憶された登録者の顔画像から同一人物を検索しない場合には、入退室者映像記録部に対し、その入退室者の記録のうち共連れ入退室に関する情報に非登録者の共連れ入退室であることを記録させることが好ましい。これにより、非登録者による共連れ入退室を入退室者映像記録部に記録させて管理できる  
【００１７】
また、入退室管理システムは、入退室管理部が、ＩＤ番号の登録者の顔画像と同一人物である入退室者について、入退室者顔画像抽出部が抽出した顔画像を、その登録者の顔画像として更新させて登録者顔画像記憶部に記憶させることが好ましい。これにより、ＩＤ番号の登録者の顔画像が、最新の顔画像に置き換えられてより精度の高い顔画像の比較ができる。
【００１８】
また、入退室管理システムは、入退室管理部が、共連れにより入退室した登録者について、入退室者顔画像抽出部が抽出した顔画像を、その登録者の顔画像として更新させて登録者顔画像記憶部に記憶させることが好ましい。これにより、共連れにより入退室した登録者の顔画像が、最新の顔画像に置き換えられてより精度の高い顔画像の比較ができる。
【００１９】
また、入退室管理システムは、共連れによる入退室に対して情報を発信する共連れ情報発信部を備え、入退室管理部が、入退室者群を共連れ入退室であると判定した場合には、共連れ情報発信部に共連れ情報を発信させることが好ましい。これにより、共連れ入退室が発生した情報を、例えば管理センターなどの管理部門に迅速に発信できる。
【００２０】
さらに、入退室管理システムは、非登録者の入退室に対して警報を発報する不審者警報発報部を備え、入退室管理部が、入退室者顔画像比較部が入退室者群のうちのいずれもがＩＤ番号の登録者の顔画像と同一人物ではないと判断した場合には、不審者警報発報部に警報を発報させることが好ましい。これにより、登録されたＩＤ番号を有しない入退室者群について警報を発報し、不審者の入退室に対して迅速に対処することができる。
【発明の効果】
【００２１】
以上のように、本発明に係る入退室管理システムによれば、登録ＩＤ番号を保有する入退室者と保有しない入退室者とが共連れで入退室する入退室者群であることを的確に判定して入退室者を管理することが可能となる。
【発明を実施するための最良の形態】
【００２２】
以下に、図面を用いて本発明に係る入退室管理システムの実施の形態につき、詳細に説明する。
【００２３】
図１に、入退室管理システムの１つの実施形態の概略構成を示す。入退室管理システム１は、入退室者映像記録部２、登録者顔画像記憶部３、入退室者顔画像抽出部４、入退室者顔画像比較部５、入退室管理部６、共連れ情報発信部７、及び不審者警報発報部８から構成される。本実施形態では、入退室者群１３の入退室が管理される室１０の出入口に入退室管理室１４を設定する。この入退出管理室１４は必ずしも室として設けられない場合がある。その場合には廊下等の一部が入退出管理室１４に代替する。この入退室管理室１４には、登録ＩＤ番号が書き込まれたＩＤカードを読取るカードリーダ１１ａ，１１ｂが設置される。また、入退室者群１３全体の映像を撮影するビデオカメラ１２が入退室管理室１４の上方に設置される。なお、このビデオカメラ１２は、より確実に入退室者の映像を撮影するために複数台設置されても良い。
【００２４】
この入退室管理室１４に登録ＩＤ番号を保有する入退室者と保有しない入退室者とが共連れで入退室する入退室者群１３を設定する。ここで、説明のために入退室者群１３は第１入退室者２４、第２入退室者２５、及び第３入退室者２６の３名から構成されるものとする。第１入退室者２４は登録ＩＤ番号が記録されたＩＤカード（図示せず）などの個人認証手段を有する登録者であり、第２入退室者２５は自らのＩＤカードによる認証をせずに入退室する登録者であり、第３入退室者２６は個人認証手段を有さない非登録者であるものとする。
【００２５】
第１入退室者２４が入室時にＩＤカードをカードリーダ１１ａに読取らせ、登録されたＩＤ番号が確認されると入退室扉１５が解錠される。また、退室時には、第１入退室者２４が入退室管理室１４の前にてＩＤカードをカードリーダ１１ｂに読取らせて退室する。第２入退室者２５及び第３入退室者２６は、入室時及び退室時のいずれも第１入退室者２４と共連れにより入退室する。
【００２６】
図２に、入退室管理システム１の１つの実施形態の概略の動作を示す。入退室管理システム１の入退室者映像記録部２は、まず、ビデオカメラ１２により撮影された入退室者群１３の映像１６を一旦記録する。ビデオカメラ１２は、共連れで入退室する第１入退室者２４、第２入退室者２５、及び第３入退室者２６を全て撮影する。このビデオカメラ１２は、入退室管理室１４に入退室者群１３が入るか、又は入退室扉１５の前に立つとそれを検知して撮影を開始し、入退室管理室１４から入退室者群１３が出るか、又は入退室扉１５を通過するとそれを検知して撮影を終了する。すなわち、入退室者映像記録部２が入退室者群１３に対して撮影する画像１６は、入退室者群１３が入退室管理室１４に入った時点から出る時点、又は、入退室扉１５を通過するまでの映像記録である。
【００２７】
登録者顔画像記憶部３は、室１０の各登録者２１、その登録者２１の登録ＩＤ番号１７、及びその登録者２１の顔画像１８を対応付けて記憶する。すなわち、全ての登録者２１は、登録ＩＤ番号１７が付与される登録時に識別可能な顔画像１８も登録し、登録者顔画像記憶部３は登録ＩＤ番号１７と顔画像１８とを相互に関連付けして記憶する。
【００２８】
入退室者顔画像抽出部４は、入退室者映像記録部２に記録された映像１６から、第１入退室者２４の顔が認識可能な顔画像１９ａ，１９ｂ，１９ｃ、第２入退室者２５の顔が認識可能な顔画像２９ａ，２９ｂ，２９ｃ、及び第３入退室者２６の顔が認識可能な顔画像３９ａ，３９ｂ，３９ｃを選択する。本実施形態では、顔画像１９，２９，３９はいずれも３枚の画像であるが、その数はこれに限らない。そして、顔画像１９ａ，１９ｂ，１９ｃのうち第１入退室者２４が特定可能な１枚を第１入退室者２４の顔画像２０として抽出する。同時に、顔画像２９ａ，２９ｂ，２９ｃのうち第２入退室者２５が特定可能な１枚を第２入退室者２５の顔画像３０として抽出し、顔画像３９ａ，３９ｂ，３９ｃのうち第３入退室者２６が特定可能な１枚を第３入退室者２６の顔画像４０として抽出する。すなわち、顔画像１９のうち最もその第１入退室者２４が判別し易い顔画像２０が抽出され、顔画像２９のうち最もその第２入退室者２５が判別し易い顔画像３０が抽出され、顔画像３９のうち最もその第３入退室者２６が判別し易い顔画像４０が抽出される。
【００２９】
入退室者顔画像比較部５は、カードリーダ１１から読み取られた第１入退室者２４の登録ＩＤ番号１７を受信する。そして、登録者顔画像記憶部３の登録ＩＤ番号１７に対応付けられた登録者２１の顔画像１８ａを検索する。入退室者顔画像比較部５は、検索した登録者２１の顔画像１８ａと入退室者顔画像抽出部４が抽出した顔画像２０，３０，４０とを比較し、それぞれ同一人物か否かを判断する。すなわち、入退室者顔画像比較部５は、カードリーダ１１から読み取られた登録ＩＤ番号１７が、第１入退室者２４、第２入退室者２５、又は第３入退室者２６いずれが保有するものであるかを判断せず、全ての入退室者２４，２５，２６についてそれぞれ比較して同一人物を割り出す。
【００３０】
図３に、入退室者顔画像比較部５が入退室者群１３に登録ＩＤ番号１７の登録者２１と同一人物が含まれていると判断した場合の入退室管理部６の動作を示す。この場合には、入退室管理部６は、入退室者顔画像比較部５に対し、第１入退室者２４以外の者、すなわち第２入退室者２５及び第３入退室者２６について、登録者顔画像記憶部３に記憶された登録者２１の登録された他の顔画像１８ｂ，１８ｃ，１８ｄなどから同一人物を検索させる。すなわち、入退室者顔画像比較部５は、顔画像３０，４０に対して、登録者顔画像記憶部３に記憶された登録者２１の顔画像１８のうち顔画像１８ａを除く顔画像１８ｂ，１８ｃ，１８ｄを順次比較していく。これは、登録ＩＤ番号１７を保有しながらそれをカードリーダ１１に読み取らせずに入退室する登録者２１を検出するためである。
【００３１】
入退室管理部６は、入退室者顔画像比較部５が、登録者顔画像記憶部３に記憶された登録者２１の顔画像１８から同一人物を検索できない場合は、非登録者の共連れ入退室であると判定する。また、入退室管理部６は、入退室者顔画像比較部５に記憶された登録者２１の顔画像１８から同一人物であると判断した場合は、登録者２１の共連れ入退室であると判定する。例えば、第２入退室者２５は登録者２１の共連れ入退室と判断され、第３入退室者２６は非登録者の共連れ入退室と判断する。
【００３２】
図４に、入退室管理部６が入退室者群１３を共連れ入退室と判定した場合の動作を示す。入退室管理部６は、まず入退室者映像記録部２に対して記録されたその入退室者群１３の映像１６を削除させる。そして、入退室管理部６は、入退室者映像記録部２に対し、入退室者顔画像抽出部４が抽出した入退室者群１３のそれぞれの顔画像２０，３０，４０と、入退室者顔画像比較部５のそれぞれの比較結果２３ａ，２３ｂ，２３ｃと、その入退室者群１３の入退室日時２２とを映像１６に置き換えて記録させる。このとき、入退室管理部６は、入退室者顔画像比較部５に入退室者顔画像比較部５の比較結果２３を入退室者映像記録部２に送信させる。また、入退室管理部６は、カードリーダ１１から入退室者群１３の入退室日時２２のデータを入退室者映像記録部２に送信させる。
【００３３】
また、入退室管理部６は、入退室者映像記録部２に共連れ情報２８としてその者の共連れに関する情報を記録させる。すなわち、入退室管理部６は、この入退室者群１３に関し、登録ＩＤ番号１７を保有する第１入退室者２４と、登録者２１である第２入退室者２５と、非登録者である第３入退室者２６とが共連れにより入退室したと判定する。本実施形態では、入退室管理部６は、第１入退室者２４の共連れ情報２８ａには「共連れ入退室」と記録させ、第２入退室者２５の共連れ情報２８ａには「登録者２１による第１入退室者２４との共連れ入退室」と記録させ、第３入退室者２６の共連れ情報２８ａには「非登録者による第１入退室者２４との共連れ入退室」と記録させる。
【００３４】
また、入退室管理部６は、入退室者顔画像抽出部４が抽出した第１入退室者２４の顔画像２０を、その第１入退室者２４の登録ＩＤ番号１７の登録者２１の顔画像２０として更新させて登録者顔画像記憶部３に登録させる。また、入退室管理部６は、登録者２１による共連れ入退室である第２入退室者２５についても、入退室者顔画像抽出部４が抽出した顔画像３０を、その登録者２１の顔画像３０として更新させて登録者顔画像記憶部３に記憶させる。これらにより、登録ＩＤ番号１７の登録者２１の顔画像１８が、最新の顔画像２０，３０に置き換えられる。
【００３５】
さらに、入退室管理部６は、入退室者群１３が非登録者を含む共連れ入退室であると判定した場合には、共連れ情報発信部７に非登録者を含む共連れ入退室であるという情報を発信させる。また、入退室管理部６は、入退室者群１３が登録者２１を含む共連れ入退室であると判定した場合には、共連れ情報発信部７に登録者２１を含む共連れ入退室であるという情報を発信させる。共連れ情報発信部７は、例えば、管理センター２７などの管理部門に設置された警報装置（図示せず）に、これらの共連れ入退室の情報を発信する。
【００３６】
図５に、入退室管理部６が入退室者群１３を共連れ入退室と判定しない場合の動作を示す。この場合には入退室者群１３には登録者２１が含まれていない。入退室管理部６は、まず、入退室者映像記録部２にその入退室者群１３の映像１６をそのまま保管させる。これにより、入退室管理室１４における不審者による共連れ入退室の全行動が記録される。また、入退室管理部６は、入退室者映像記録部２に対し、入退室者顔画像抽出部４が抽出した顔画像２０，３０，４０と、入退室者顔画像比較部５の比較結果２３と、共連れ情報２８と、その入退室者群１３の入退室日時２２とを、保管された入退室者群１３の映像１６に対応付けて記録させる。この共連れ情報２８には、全員とも「非登録者の共連れ入退室」と記録される。
【００３７】
さらに、入退室管理部６は、入退室者顔画像比較部５が、入退室者群１３の抽出された顔画像２０，３０，４０のいずれもが登録ＩＤ番号１７の登録者２１の登録された顔画像１８と同一人物であると判断しない場合には、不審者警報発報部７に警報を発報させる。この場合は、登録ＩＤ番号１７が不法に使用された場合である。この場合、不審者警報発報部７は、例えば、管理センター２７などの管理部門に設置された警報装置（図示せず）に発報させ、管理者に対して入退室管理室１４に不審者が共連れで侵入したことを伝達する。
【図面の簡単な説明】
【００３８】
【図１】本発明に係る入退室管理システムの１つの実施形態の概略構成を示す図である。
【図２】本発明に係る入退室管理システムの１つの実施形態の概略の動作を示す説明図である。
【図３】入退室者顔画像比較部が入退室者群に登録ＩＤ番号の登録者と同一人物が含まれていると判断した場合の入退室管理部の動作を示す説明図である。
【図４】入退室管理部が入退室者群を共連れ入退室と判定した場合の動作を示す説明図である。
【図５】入退室管理部が入退室者群を共連れ入退室と判定しない場合の動作を示す説明図である。
【符号の説明】
【００３９】
１  入退室管理システム、２  入退室者映像記録部、３  登録者顔画像記憶部、４  入退室者顔画像抽出部、５  入退室者顔画像比較部、６  入退室管理部、７  共連れ情報発信部、８  不審者警報発報部、１０  室、１１ａ，１１ｂ  カードリーダ、１２  ビデオカメラ、１３  入退室者群、１４  入退室管理室、１５  入退室扉、１６  （入退室者群の）映像、１７  登録ＩＤ番号、１８  （登録された）顔画像、１９  （選択された）第１入退室者の顔画像、２０  （抽出された）第１入退室者の顔画像、２１  登録者、２２  入退室日時、２３  比較結果、２４  第１入退室者、２５  第２入退室者、２６  第３入退室者、２７  管理センター、２８  共連れ情報、２９  （選択された）第２入退室者の顔画像、３０  （抽出された）第２入退室者の顔画像、３９  （選択された）第３入退室者の顔画像、４０  （抽出された）第３入退室者の顔画像。
【図１】
0005106244.tif 000002
【図２】
0005106244.tif 000003
【図３】
0005106244.tif 000004
【図４】
0005106244.tif 000005
【図５】
0005106244.tif 000006